【手続補正書】
【提出日】平成23年8月17日(2011.8.17)
【手続補正１】
【補正対象書類名】特許請求の範囲
【補正対象項目名】全文
【補正方法】変更
【補正の内容】
【特許請求の範囲】
【請求項１】
分析補助手段（１１２）を有する液体試料を採取するための試料採取システム（１１０）であって、
前記試料採取システム（１１０）は、前記分析補助手段（１１２）と連結するための連結部材（１５２）と、
前記連結部材（１５２）の静止位置から偏向位置への移動を駆動するための駆動ユニット（１６０）と
を有し、
前記駆動ユニット（１６０）が、異なる回転方向の回転運動を発生させるように構成されているエネルギー変換機（１６２）を有し、
前記駆動ユニット（１６０）が、さらに、前記エネルギー変換機（１６２）に連結させ、かつ前記エネルギー変換機により得られた機械エネルギーを複数の異なるシステム機能に供給するための回転方向感知部材（１９４、２１８；２４２）を備えた連結装置を有し、
前記連結装置は、第１回転方向において、前記エネルギー変換機（１６２）が第１システム機能と連結され、
前記第１回転方向とは異なる第２回転方向において、前記エネルギー変換機（１６２）が前記第１システム機能とは異なる第２システム機能と連結されてなる
試料採取システム（１１０）。
【請求項２】
前記第１システム機能が、
分析補助手段（１１２）のランセット（１２８）の穿刺動作を駆動する機能、
前記分析補助手段（１１２）の検査部材（１２２）を試料採取用に移動させる機能、
前記ランセット（１２８）の穿刺動作を駆動するために、エネルギー貯蔵部（２０４）、とくに機械的なエネルギー貯蔵部（２０４）、とくにバネ部材に張力を加える機能、
前記分析補助手段（１１２）を適用位置（１１８）に配設するために、分析補助手段（１１２）を搬送する機能、
前記分析補助手段（１１２）を測定位置に配設するために、分析補助手段（１１２）を搬送する機能、
カートリッジから前記分析補助手段（１１２）を適用位置（１１８）に配設するために、前記試料採取システム（１１０）のカートリッジを搬送する機能、
分析補助手段（１１２）を適用位置（１１８）に配設するために、複数の分析補助手段（１１２）を含む分析テープ（１１４）を搬送する機能、および
分析補助手段（１１２）を適用位置（１１８）に配設するために、複数の分析補助手段（１１２）を含む分析板を搬送する機能
からなる群から選択された前記試料採取システム（１１０）の機能である
請求項１記載の試料採取システム（１１０）。
【請求項３】
前記第２システム機能が、
前記分析補助手段（１１２）のランセット（１２８）の穿刺動作を駆動する機能、
前記分析補助手段（１１２）の検査部材（１２２）を試料採取用に移動させる機能、
前記ランセット（１２８）の穿刺動作を駆動するために、エネルギー貯蔵部（２０４）、とくに機械的なエネルギー貯蔵部（２０４）、とくにバネ部材に張力を加える機能、
前記分析補助手段（１１２）を適用位置（１１８）に配設するために、分析補助手段（１１２）を搬送する機能、
前記分析補助手段（１１２）を測定位置に配設するために、分析補助手段（１１２）を搬送する機能、
カートリッジから前記分析補助手段（１１２）を適用位置（１１８）に配設するために、前記試料採取システム（１１０）のカートリッジを搬送する機能、
分析補助手段（１１２）を適用位置（１１８）に配設するために、複数の分析補助手段（１１２）を含む分析テープ（１１４）を搬送する機能、および
分析補助手段（１１２）を適用位置（１１８）に配設するために、複数の分析補助手段（１１２）を含む分析板を搬送する機能
からなる群から選択された前記試料採取システム（１１０）の機能である請求項１または２記載の試料採取システム（１１０）。
【請求項４】
前記分析補助手段（１１２）がランセット（１２８）、前記液体試料を分析するための検査域を有する検査部材（１２２）から選択される部材を有する請求項１〜３のいずれか１項に記載の試料採取システム（１１０）。
【請求項５】
前記分析補助手段（１１２）が分析テープ（１１４）を有し、当該分析テープ（１１４）が複数のランセット（１２８）および検査域（１２４）を交互に配設してなる請求項４記載の試料採取システム（１１０）。
【請求項６】
前記連結部材（１５２）が駆動部を備え、当該駆動部が適用位置（１１８）に配置された分析補助手段（１１２）に連結されるように構成され、当該駆動部が連接駆動部（１６６）およびクランク駆動部からなる群から選択されてなる請求項１〜５のいずれか１項に記載の試料採取システム（１１０）。
【請求項７】
前記エネルギー変換機（１６２）が、電気モーター（１６２）を有する請求項１〜６のいずれか１項に記載の試料採取システム（１１０）。
【請求項８】
前記分析補助手段（１１２）のランセット（１２８）の穿刺用移動のために、エネルギーを出力するよう備えられた機械的なエネルギー貯蔵部（２０４）を有する請求項１〜７のいずれか１項に記載の試料採取システム（１１０）。
【請求項９】
前記機械的なエネルギー貯蔵部（２０４）が、以下の部材、すなわち、とくにコイルバネ、螺旋バネ、リーフバネ、皿バネであるバネ部材（２０６）と、とくにエラストマー部材である弾性部材と、空気圧蓄圧器とのうちの少なくとも１つを有する請求項８記載の試料採取システム（１１０）。
【請求項１０】
前記駆動ユニット（１６０）が、歯車伝動装置（１８６）を有し、前記歯車伝動装置（１８６）は、前記エネルギー変換機（１６２）の第１角度領域において、機械的なエネルギー貯蔵部（２０４）を付勢し、この付勢状態で留めるように備えられ、前記歯車伝動装置（１８６）は、第２角度領域において、機械的なエネルギー貯蔵部（２０４）を解除し、エネルギーを前記ランセット（１２８）の穿刺動作のために出力するように備えられている請求項８または９記載の試料採取システム（１１０）。
【請求項１１】
前記歯車伝動装置（１８６）が、少なくとも１つの部分的に歯のついた歯車（１８６）を有し、少なくとも第１外周領域（１８８）で歯がついており、少なくとも第２の外周領域（１９０）で歯がついていない請求項１０記載の試料採取システム（１１０）。
【請求項１２】
前記歯車伝動装置が、さらに遮断部を有し、前記遮断部は、前記第１角度位置領域においては、前記エネルギー貯蔵部（２０４）の付勢解除を妨げるように備えられている請求項１０または１１記載の試料採取システム（１１０）。
【請求項１３】
前記機械的なエネルギー貯蔵部（２０４）を付勢状態に留めるための遮断部（２００）が設けられている請求項１０〜１２のいずれか１項に記載の試料採取システム（１１０）。
【請求項１４】
複数の分析検査部材（１２２）を受容し配設するのに適した以下の部材、すなわち、とくにドラム弾倉カートリッジ、棒状カートリッジ、列状カートリッジ、テープカセット（１５８）またはジグザグカートリッジなどのカートリッジと、分析テープ（１１４）と、分析板とのうちの少なくともいずれか１つを有する請求項１〜１３のいずれか１項に記載の試料採取システム（１１０）。
【請求項１５】
前記駆動ユニット（１６０）が、歯車システムを有し、前記歯車システムが、平歯車伝動装置、かさ歯車伝動装置、ウォーム歯車伝動装置、ラックピニオン伝動装置、スピンドル歯車伝動装置、丸穴車伝動装置、遊星歯車伝動装置からなる群から選択される歯車装置部材を含む請求項１〜１４のいずれか１項に記載の試料採取システム（１１０）。
【請求項１６】
前記連結装置が、第１駆動輪（１８４、２１２）と第２駆動部材（１８６、２１６）とを有し、前記第１駆動輪（１８４、２１２）は、エネルギー変換機（１６２）と連結され、前記第２駆動部材（１８６、２１６）が、第１システム機能および／または第２システム機能と連結され、前記第１駆動輪（１８４、２１２）と前記第２駆動部材（１８６、２１６）とは、前記回転方向感知部材（１９４、２１８；２４２）により互いに接続され、前記回転方向感知部材（１９４、２１８；２４２）は、第１回転方向では、第１駆動輪（１８４、２１２）と第２駆動部材（１８６、２１６）とを互いに連結し、前記第２回転方向では第１駆動輪（１８４、２１２）と第２駆動部材（１８６、２１６）との連結を解除する請求項１〜１５のいずれか１項に記載の試料採取システム（１１０）。
【請求項１７】
前記連結装置が、２つの回転方向感知部材（１９４、２１８；２４２）により前記第１駆動輪（１８４、２１２）に接続された第２駆動部材（１８６、２１６）を２つ有し、双方の前記回転方向感知部材（１９４、２１８；２４２）が、反対の回転方向感度を有し、前記第２駆動部材（１８６、２１６）は、それぞれ異なるシステム機能に連結されている請求項１６記載の試料採取システム（１１０）。
【請求項１８】
前記回転方向感知部材（１９４、２１８；２４２）が、少なくとも１つのフリーホイール（１９６、２２０）、とくに以下のフリーホイール（１９６、２２０）、すなわち、制動ローラーフリーホイール、制動子フリーホイール、ラチェットフリーホイール、摩擦遮断フリーホイールおよびカムレバーフリーホイールのうちの少なくとも１つ有する請求項１〜１７のいずれか１項に記載の試料採取システム（１１０）。
【請求項１９】
前記フリーホイール（１９６、２２０）が、フリーホイールの空動きを低減するためのフリーホイール遮断部（２２２）を有する請求項１８記載の試料採取システム（１１０）。
【請求項２０】
前記回転方向感知部材（１９４、２１８；２４２）が、前記エネルギー変換機（１６２）に連結された第１駆動輪（１７６）と、異なるシステム機能に連結され、かつ異なる平面（２４４、２４６）に配置された第２駆動部材（２４８、２５０）を少なくとも２つと有し、第１駆動輪（１７６）が、第１回転方向では、第１平面（２４４）上に配置され、前記第２駆動部材（２４８、２５０）のうちの第１の駆動部材（２４８）に連結されるように備えられ、第１駆動輪（１７６）は、第２回転方向では、第２平面（２４６）上に配置され、前記第２駆動部材（２４８、２５０）のうちの第２の駆動部材（２５０）に連結されるように備えられている請求項１〜１９のいずれか１項に記載の試料採取システム（１１０）。
【請求項２１】
前記エネルギー変換機（１６２）が、第１回転方向または第２回転方向で、機械的なエネルギー貯蔵部（２０４）をエネルギーで付勢するシステム機能に連結されることができ、かつ同時に、液体試料を検査部材（１２２）の検査域（１２４）上に塗布するために検査部材（１２２）を偏向位置へと移送するシステム機能に連結できるように、連結装置が備えられている請求項１〜２０のいずれか１項に記載の試料採取システム（１１０）。
【請求項２２】
前記エネルギー変換機（１６２）が前記第２回転方向で、分析補助手段（１１２）を適用位置（１１８）に配設するシステム機能に連結されうるように、連結装置が備えられている請求項２１記載の試料採取システム（１１０）。
【請求項２３】
前記試料採取システム（１１０）が、
ａ）前記エネルギー変換機（１６２）が前記第１回転方向への第１回転運動を実施し、機械的なエネルギー貯蔵部（２０４）が解除され、適用位置（１１８）に配置された分析補助手段（１１２）のランセット（１２８）の穿刺用移動のためにエネルギーを出力するシーケンスと、
ｂ）前記エネルギー変換機（１６２）が第２回転方向への第２回転運動を実施し、液体試料を分析するための検査域（１２４）を備えた検査部材（１２２）が、適用位置（１１８）へ移送されるシーケンスと、
ｃ）前記エネルギー変換機（１６２）が前記第１回転方向への第３回転運動を実施し、前記機械的なエネルギー貯蔵部（２０４）がエネルギーで付勢され、液体試料を検査部材（１２２）の検査域（１２４）へ塗布するために、検査部材（１２２）が偏向位置へと移送されるシーケンスと、
ｄ）前記エネルギー変換機（１６２）が前記第２回転方向への第４回転運動を実施し、ランセット（１２８）は適用位置（１１８）へ移送されるシーケンスと
を実施するように備えられている請求項１〜２２のいずれか１項に記載の試料採取システム（１１０）。
【請求項２４】
前記試料受容シーケンスが、さらに、前記検査部材（１２２）がその上に塗布された液体試料と共に、測定位置へと移送される搬送工程を含む請求項２３記載の試料採取システム（１１０）。
【請求項２５】
前記搬送工程が、前記方法工程ｃ）とｄ）との間で実施される請求項２４記載の試料採取システム（１１０）。
【請求項２６】
前記試料採取システム（１１０）、とくに駆動ユニット（１６０）が、少なくとも１つのトルクリミッター（２８４）を全体としてまたは部分的に有する請求項１〜２５のいずれか１項に記載の試料採取システム（１１０）。
【請求項２７】
請求項１〜２６のいずれか１項に記載の試料採取システム（１１０）に用いられ、分析ベルト（１１４）と、物品巻き付け部（１２０）と、前記分析ベルト（１１４）を収容するための巻き取り部（１４６）と、連結部分（１５０）とを有し、前記連結部分（１５０）が、前記試料採取システム（１１０）の前記連結部材（１５２）の一部分として作用するように備えられているテープカセット（１５８）。
【請求項２８】
液体試料を採取する方法であって、少なくとも１つの分析補助手段（１１２）を有する試料採取システム（１１０）が用いられ、前記試料採取システム（１１０）が、さらに、前記分析補助手段（１１２）と連結するための連結部材（１５２）と、前記連結部材（１５２）の静止位置から偏向位置への移動を駆動するための駆動ユニット（１６０）とを有し、
前記駆動ユニット（１６０）が、様々な回転方向への回転運動を発生させるように構成されているエネルギー変換機（１６２）を有し、前記駆動ユニット（１６０）は、さらに、前記エネルギー変換機（１６２）に連結させるため、および、前記エネルギー変換機により供された機械エネルギーを複数の異なるシステム機能に供給するための回転方向感知部材（１９４、２１８；２４２）を備えた連結装置を有し、
前記連結装置が、第１回転方向において、前記エネルギー変換機（１６２）が第１システム機能と連結され、
前記第１回転方向とは異なる第２回転方向において、前記エネルギー変換機（１６２）が、前記第１システム機能とは異なる第２システム機能と連結され、
前記方法が、
ａ）前記エネルギー変換機（１６２）が前記第１回転方向への第１回転運動を実施し、機械的なエネルギー貯蔵部（２０４）が解除され、適用位置（１１８）に配置された分析補助手段（１１２）のランセット（１２８）の穿刺用移動のためにエネルギーを出力する工程と、
ｂ）前記エネルギー変換機（１６２）が第２回転方向への第２回転運動を実施し、液体試料を分析するための検査域（１２４）を備えた検査部材（１２２）が、適用位置（１１８）へ移送される工程と、
ｃ）前記エネルギー変換機（１６２）が前記第１回転方向への第３回転運動を実施し、前記機械的なエネルギー貯蔵部（２０４）がエネルギーで付勢され、液体試料を検査部材（１２２）の検査域（１２４）へ塗布するために、検査部材（１２２）が偏向位置に移送される工程と、
ｄ）前記エネルギー変換機（１６２）が前記第２回転方向への第４回転運動を実施し、ランセット（１２８）は適用位置（１１８）へ移送される工程と
を含む方法。
【請求項２９】
さらに、前記検査部材（１２２）がその上に塗布された液体試料と共に、測定位置へと移送される搬送工程を含む請求項２８記載の方法。
【請求項３０】
前記搬送工程が、前記方法工程ｃ）とｄ）との間で実施される請求項２９記載の方法。